(57)【特許請求の範囲】
【請求項１】
電気ケーブル・アセンブリにおける故障の検出をコンピュータで実行する方法であって、
ケーブル試験機器によって、被試験リンクの電気的特性を表す周波数領域データを得ることであって、上記得た周波数領域データが複数の近端クロストーク（ＮＥＸＴ）及び同相対差動近端クロストーク（ＣＤＮＥＸＴ）測定値を含む、周波数領域データを得ることと、
（１）時間領域クロストーク（ＴＤＸ）トレース信号を発生し、同相対差動クロストーク（ＣＤＸ）トレース信号を発生することで、上記得た周波数領域データを時間領域データに変換することと、（２）上記発生したＴＤＸトレース信号から減衰歪み及び分散歪みを抽出することと、（３）上記被試験リンク内の１対のワイヤを識別することと、（４）上記識別された対のワイヤに対応するＣＤＸトレース信号内の複数の局部的に最大の振幅を識別することと、によって、上記ケーブル試験機器によって、上記得た周波数領域データに基づいて上記被試験リンク内のコネクタの数を求めることと、
ダイナミック時間圧伸（ＤＴＷ）処理によって得られた圧伸ベクトルに従って上記ＴＤＸトレース信号に上記ＣＤＸトレース信号でのコネクタの場所をマッピングすることによって、上記ケーブル試験機器によって、上記被試験リンクの長さ方向に沿って上記コネクタの各々の見積った場所を求めることと、
上記ＣＤＸトレース信号内の上記識別された複数の局部的に最大の振幅をソートすることによって、上記被試験リンクにおける検出された故障に対する夫々の寄与に応じて上記コネクタをランク付けすることと
を備えた方法。
【請求項２】
上記コネクタの数を求めるステップは、
上記変換された時間領域データ内に含まれるノイズのレベル変動に適応するしきい値を計算することを含む請求項１の方法。
【請求項３】
上記コネクタの数を求めるステップは、
第１ケーブル試験機器を用いて、被試験リンクの第１部分内のコネクタの第１数を求めることと、
第２ケーブル試験機器を用いて、被試験リンクの第２部分内のコネクタの第２数を求めることと、
ダイナミック時間圧伸（ＤＴＷ）処理を実行して、上記第１数のコネクタを上記第２数のコネクタに整列させることと
を備える請求項１の方法。
【請求項４】
電気ケーブル・アセンブリ内の故障の検出をコンピュータで実行する方法であって、
被試験リンクの第１端部に接続された第１ケーブル試験機器によって上記被試験リンクに第１試験信号を伝送すると共に、上記被試験リンクの上記第１端部と反対の上記被試験リンクの第２端部に接続された第２ケーブル試験機器によって上記被試験リンクに第２試験信号を伝送することと、
上記第１及び第２ケーブル試験機器によって上記被試験リンクの電気的特性を表す周波数領域データを得ることであって、上記得た周波数領域データが複数の近端クロストーク（ＮＥＸＴ）及び同相対差動近端クロストーク（ＣＤＮＥＸＴ）測定値を含む、周波数領域データを得ることと、
（１）時間領域クロストーク（ＴＤＸ）トレース信号を発生し、同相対差動クロストーク（ＣＤＸ）トレース信号を発生することで、上記得た周波数領域データを時間領域データに変換することと、（２）上記発生したＴＤＸトレース信号から減衰歪み及び分散歪みを抽出することと、（３）上記被試験リンク内の１対のワイヤを識別することと、（４）上記識別された対のワイヤに対応するＣＤＸトレース信号内の複数の局部的に最大の振幅を識別することと、によって、上記第１ケーブル試験機器によって、上記得た周波数領域データに基づいて上記被試験リンク内のコネクタの数を求めることと、
ダイナミック時間圧伸（ＤＴＷ）処理によって得られた圧伸ベクトルに従って上記ＴＤＸトレース信号に上記ＣＤＸトレース信号でのコネクタの場所をマッピングすることによって、上記第１ケーブル試験機器によって上記被試験リンクの長さ方向に沿って上記コネクタの各々の見積った場所を求めることと、
上記ＣＤＸトレース信号内の上記識別された複数の局部的に最大の振幅をソートすることによって、上記第１ケーブル試験機器によって上記被試験リンクにおける検出された故障に対する夫々の寄与に応じて上記コネクタをランク付けすることと、
上記第１ケーブル試験機器によって上記被試験リンクに関連する診断情報を表示することと
を備えた方法。
【請求項５】
上記コネクタの数を求めるステップは、
上記変換された時間領域データ内に含まれるノイズのレベル変動に適応するしきい値を計算すること
を更に備える請求項４の方法。
【請求項６】
上記コネクタの数を求めるステップは、
第１ケーブル試験機器を用いて、被試験リンクの第１部分内のコネクタの第１数を求めることと、
第２ケーブル試験機器を用いて、被試験リンクの第２部分内のコネクタの第２数を求めることと、
上記第１ケーブル試験機器によってダイナミック時間圧伸（ＤＴＷ）処理を実行して、上記第１数のコネクタを上記第２数のコネクタに整列させることと
を更に備える請求項４の方法。
【請求項７】
上記被試験リンクの第１端部でのワイヤの第１対に同相信号を発生し、上記被試験リンクの上記第１端部でのワイヤの第２対で差動信号を測定することによって、上記複数のＣＤＮＥＸＴ測定値を得る方法であって、上記ワイヤの第１対は上記ワイヤの第２対と異なる請求項４の方法。
【請求項８】
上記被試験リンク内の１対のワイヤを識別することが、被試験リンクのワイヤの各対に対して信号エネルギー値を計算し、最高の信号エネルギー値を有するワイヤの対を選択することを備える請求項４の方法。
【発明の詳細な説明】
【技術分野】
【０００１】
本発明は、ケーブル故障測定に関し、特に、欠陥のある銅コネクタを検出し、その場所を探し、ランク付けする方法に関する。
【背景技術】
【０００２】
電気ケーブルを試験し故障修理する際、典型的な試験では、刺激信号をケーブルの一端に伝送し、戻りである反射を受信し測定する試験機器を用いている。時間領域反射率（time-domain reflectometry：ＴＤＲ）及び時間領域クロストーク（time-domain crosstalk：ＴＤＸ）の測定は、２つの主要な形式の問題である。一方は、故障の全てのモードを識別しようとし、他方は、全ての時間領域イベントを識別しようとする。これらの問題は、典型的には、多くの間違った肯定的な結果を導き、しばしば、コネクタの場所を探すのを邪魔する。
【０００３】
データ伝送レートが着々と増加するにつれて、改善されたクロストーク性能のモジューラ・コネクタは、要求が次第に厳しくなる標準に合うように設計されてきた。特に、最近のコネクタは、不快な近端クロストーク（near end crosstalk：ＮＥＸＴ）をキャンセルするように、所定量のクロストーク補償を導入している。その結果、ＴＤＸ測定は、もはや、ケーブルにおける全てのコネクタの故障を確実に検出できない。
【先行技術文献】
【特許文献】
【０００４】
【特許文献１】特開２０００−１０１４８９号公報
【発明の概要】
【発明が解決しようとする課題】
【０００５】
そこで、ケーブル故障測定に対して、欠陥のあるコネクタを検出し、その場所を探し、ランク付けする方法が望まれている。
【課題を解決するための手段】
【０００６】
かかる課題を解決するための本発明の態様は、以下の通りである。
（１）電気ケーブル・アセンブリにおける故障の検出をコンピュータで実行する方法であって；ケーブル試験機器によって、被試験リンクの電気的特性を表す周波数領域データを得ることと；上記ケーブル試験機器によって、上記得た周波数領域データに基づいて上記被試験リンク内のコネクタの数を求めることと；上記ケーブル試験機器によって、上記被試験リンクの長さ方向に沿って上記コネクタの各々の見積った場所を求めることと；上記被試験リンクにおける検出された故障に対する夫々の寄与に応じて上記コネクタをランク付けすることとを備えた方法。
（２）コネクタの数を求めることは、上記得た周波数領域データを時間領域データに変換することと；上記変換された時間領域データから減衰歪み及び分散を抽出することとを備え；上記得た周波数領域データは、複数の近端クロストーク（ＮＥＸＴ）及び同相対差動近端クロストーク（ＣＤＮＥＸＴ）測定値を含む態様１の方法。
（３）上記得た周波数領域データを変換することは、時間領域クロストーク（ＴＤＸ）トレース信号を発生することと、同相対差動クロストーク（ＣＤＸ）トレース信号を発生することとを備える態様２の方法。
（４）上記ＴＤＸトレース信号は、離散逆フーリエ変換を用いて上記複数のＮＥＸＴ測定値から発生する態様３の方法。
（５）上記コネクタの数を求めることは、上記コネクタの数を求めるために、上記被試験リンク内の１対のワイヤを識別することを更に備える態様２の方法。
（６）上記コネクタの数を求めることは、上記変換された時間領域データ内に含まれるノイズのレベル変動に適応するしきい値を計算することを更に備える態様２の方法。
（７）上記コネクタの数を求めるステップは；第１ケーブル試験機器を用いて、被試験リンクの第１部分内のコネクタの第１数を求めることと；第２ケーブル試験機器を用いて、被試験リンクの第２部分内のコネクタの第２数を求めることと；ダイナミック時間圧伸（ＤＴＷ）処理を実行して、上記第１数のコネクタを上記第２数のコネクタに整列させることとを備える態様２の方法。
（８）上記見積った場所を求めるステップは；ＤＴＷ処理を実行することによって、上記ＣＤＸトレース信号内の各コネクタの見積った場所を、上記ＴＤＸトレース信号内の対応するコネクタの見積った場所に整列させることを備える態様３の方法。
（９）上記周波数領域データ得ることは、複数の散乱パラメータを測定することを備える態様１の方法。
（１０）上記変換された時間領域データから上記減衰歪み及び上記分散歪みを抽出することは、双極クロストーク・パルス応答を単極クロストーク・パルス応答に変換することを備える態様２の方法。
（１１）上記しきい値を計算することは、上記変換された時間領域データに含まれるノイズのレベル変動に基づくと共に、所定のフラットしきい値に基づいて、複合しきい値を計算することを更に備える態様６の方法。
（１２）上記コネクタの数を求めることは、上記識別された対のワイヤに対応するＣＤＸトレース信号内の複数の局部的に最大の振幅を識別することを更に備える態様５の方法。
（１３）電気ケーブル・アセンブリ内の故障の検出をコンピュータで実行する方法であって；被試験リンクの第１端部に接続された第１ケーブル試験機器によって上記被試験リンクに第１試験信号を伝送すると共に、上記被試験リンクの上記第１端部と反対の上記被試験リンクの第２端部に接続された第２ケーブル試験機器によって上記被試験リンクに第２試験信号を伝送することと；上記第１及び第２ケーブル試験機器によって上記被試験リンクの電気的特性を表す周波数領域データを得ることと；上記第１ケーブル試験機器によって、上記得た周波数領域データに基づいて上記被試験リンク内のコネクタの数を求めることと；上記第１ケーブル試験機器によって上記被試験リンクの長さ方向に沿って上記コネクタの各々の見積った場所を求めることと；上記第１ケーブル試験機器によって上記被試験リンクにおける検出された故障に対する夫々の寄与に応じて上記コネクタをランク付けすることと；上記第１ケーブル試験機器によって上記被試験リンクに関連する診断情報を表示することとを備えた方法。
（１４）上記コネクタの数を求めることは；上記得た周波数領域データを時間領域データに変換し、上記得た周波数領域データが複数のＮＥＸＴ及びＣＤＮＥＸＴ測定値を含むことと；上記変換された時間領域データから減衰歪み及び分散歪みを抽出することとを備える態様１３の方法。
（１５）上記得た周波数領域データを変換するステップは、ＴＤＸトレース信号を発生することと、ＣＤＸトレース信号を発生することとを備える態様１４の方法。
（１６）離散逆フーリエ変換を用いて複数のＮＥＸＴ測定値から上記ＴＤＸトレース信号を発生する態様１５の方法。
（１７）上記コネクタの数を求めることは；第１ケーブル試験機器を用いて、被試験リンクの第１部分内のコネクタの第１数を求めることと；第２ケーブル試験機器を用いて、被試験リンクの第２部分内のコネクタの第２数を求めることと；上記第１試験機器によってＤＴＷ処理を実行して、上記第１数のコネクタを上記第２数のコネクタに整列させることとを備える態様１４の方法。
（１８）上記複数のＣＤＮＥＸＴ測定値を得ることは、上記被試験リンクの第１端部でのワイヤの第１対に同相信号を発生することと、上記被試験リンクの上記第１端部でのワイヤの第２対で差動信号を測定することとを備え、上記ワイヤの第１対は上記ワイヤの第２対と異なる態様１４の方法。
（１９）上記コネクタの数を求めることは、被試験リンクのワイヤの各対に対して信号エネルギー値を計算し、最高の信号エネルギー値を有する対を選択することによって、上記コネクタの数を求めるために上記被試験リンク内の１対のワイヤを識別することを更に備える態様１４の方法。
（２０）上記診断情報は、上記発生したＴＤＸトレース信号及び上記発生したＣＤＸトレース信号を含む態様１５の方法。
【０００７】
説明する実施例の目的及び利点は、以下に記載され、明らかになろう。説明する実施例の追加の利点は、装置、システム及び方法によって実現され達成されると共に、特に、本明細書、特許請求の範囲及び添付図に指摘されている。
【０００８】
本発明の実施例の目的によれば、１つの概念において、電気ケーブル・アセンブリにおける故障を検出する方法を提供する。ケーブル試験機器は、被試験ケーブルの電気的特性を表す周波数領域データを得る。この得た周波数領域データに基づいて、被試験ケーブル・リンク内のコネクタの数を求める。被試験ケーブル・リンクの長さ方向に沿ったコネクタの各々の見積った場所をケーブル試験機器が求める。被試験ケーブル・リンク内の検出した故障への各寄与に応じて、コネクタをランク付ける。
【０００９】
以下の説明及び添付図は、記載のみに限定されず、本発明に応じた種々の例や発明の概念を示す。
【図面の簡単な説明】
【００１０】
【図１】図１は、本発明を説明する実施例に応じて故障検出方法を実行する動作ステップの高レベルの流れ図である。
【図２】図２は、従来技術に応じた例示的なＲＪ−４５コネクタ形式を説明する図である。
【図３】図３は、本発明の実施例による同相対差動近端クロストーク（ＣＤＮＥＸＴ）信号経路を説明する図である。
【図４】図４は、本発明を説明する実施例に応じて、図１におけるコネクタ検出、場所探し及びランク付けのステップの詳細な流れ図である。
【図５】図５は、従来技術による非補償ＴＤＸ信号を示す図である。
【図６】図６は、本発明を説明する実施例に応じて、減衰及び分散が補償されたＴＤＸ信号を表す図である。
【図７】図７は、本発明を説明する実施例に応じて、ヒルベルト包絡線を示す図である。
【図８】図８は、本発明を説明する実施例に応じて、一定障害警報レート（constant false alarm rate：ＣＦＡＲ）のブロック図である。
【図９】図９は、本発明を説明する実施例に応じて、フラットしきい値及び適応しきい値の間の比較を示す図である。
【図１０】図１０は、本発明を説明する実施例に応じて、ダイナミック時間圧伸（Dynamic Time Warping：ＤＴＷ）検索経路原理を説明する図である。
【図１１】図１１は、本発明を説明する実施例に応じて、単一の試験機器が収集した信号測定値に基づいてコネクタの場所を見積る際の潜在的な問題を説明する図である。
【図１２Ａ】図１２Ａは、本発明のいくつかの実施例により、ＣＤＸトレースからＴＤＸトレースまでのコネクタ位置のマッピングを示す図である。
【図１２Ｂ】図１２Ｂは、本発明のいくつかの実施例により、ＣＤＸトレースからＴＤＸトレースまでのコネクタ位置のマッピングを示す図である。
【発明を実施するための形態】
【００１１】
以下に、添付図を参照して本発明をより詳細に説明する。添付図に本発明の実施例を示すが、同様な参照符号は、同様な要素を示す。以下に記載する本発明の実施例は、本発明を単に説明するものであるので、本発明は、説明する実施例に何ら限定されるものではなく、当業者に明らかな如く種々の形式で実施できる。よって、ここに開示するいかなる構造的及び機能的な詳細も限定を意図するものではなく、単に請求項の根拠として、本発明を種々に利用する当業者に説明するためであることが理解できよう。さらに、ここで用いる用語及び熟語は、限定を意図するものではなく、本発明を理解するためのものである。
【００１２】
定義しない限り、ここで用いる技術的及び科学的用語は、本発明が属する技術における当業者が通常に理解できるのと同じ意味である。ここで説明するのと類似又は等価ないかなる方法及びシステムも本発明の実行又はテストに用いることができるが、ここでは例示的な方法及びシステムについて記載する。本明細書及び請求項にて用いる単数表現は、その文脈から明らかな場合を除いて、複数表現も含むことに留意されたい。よって、例えば、「単一の刺激」は、複数の場合の刺激も含むし、「その信号」は、１つ以上の信号や当業者に既知の等価な信号も含むし、以下同様である。
【００１３】
以下に説明する本発明の実施例は、コンピュータが利用可能な媒体に記録された好ましいソフトウェア・アルゴリズム、プログラム又はコードであり、その制御ロジックは、コンピュータ・プロセッサを有するマシーン上で実行可能であることが明らかである。このマシーンは、コンピュータ・アルゴリズム又はプログラムの実行から出力を行うように構成されたメモリ・ストレージを典型的に含む。
【００１４】
ここで用いる用語「ソフトウェア」は、ハードウェア、ファームウェアにて、又はディスク、メモリ・ストレージ装置上で、若しくは遠隔マシーンからのダウンロードで利用可能なソフトウェア・コンピュータ製品にて実現されるかにかかわらず、ホスト・コンピュータのプロセッサ内に存在できる任意のコード又はプログラムと同意語を意味する。ここで記載する実施例は、後述の均等物、関連性及びアルゴリズムを実現するソフトウェアを含むものである。また、上述の実施例に基づく本発明の特徴及び利点が当業者に理解できよう。よって、本発明は、添付の請求項が示すものを除いて、何を特に示し且つ説明したかによって制限されない。
【００１５】
１つの概念において、本発明の種々の実施例は、電気ケーブル・アセンブリ内の故障を検出する方法を提供する。この方法は、被試験ケーブル・リンク内に存在するコネクタの数と、ケーブル・リンクの長さ方向に沿ったコネクタ位置と、被試験ケーブル・リンク内の検出された故障への夫々の寄与に応じたコネクタのランク付けとを求めることを含む。本発明の実施例により、この情報が与えられると、試験されたリンクの「イベント・マップ」を発生してもよい。この発生されたイベント・マップは、例えば、障害指示器から推論できる任意の追加的な故障診断情報と共に、リンクのトポロジーを図形的に表してもよい。好適実施例において、イベント・マップは、必要に応じて、被試験リンクにおける１つ以上の故障の類似の原因と、リンクに沿った故障の見積り位置とを示す。
【００１６】
図面の図１を参照する。図１は、本発明の一実施例により、故障検出方法を実行する動作ステップの高レベルの流れ図である。ステップ１０２において、一連の制限は周波数又は「トーン」を被試験ケーブル・リンクに送信することによって、周波数ベースのケーブル試験機器が仮想刺激を合成する。反射応答は、周波数領域データとして受信される。
【００１７】
一実施例において、収集した周波数領域データは、ｓパラメータによって表してもよい。ｓパラメータは、被試験リンクに生じる進行電磁波の散乱及び反射を記述する１組のパラメータからなる。ｓパラメータは、通常、周波数の関数として測定され、測定値は、複合利得（即ち、大きさ及び／又は位相）を表す。したがって、ｓパラメータは、しばしば複合散乱パラメータと呼ばれる。ｓパラメータを用いて、マイクロ波周波数レンジ内で線形状態下のリンクの電気的動作を正確に記述できる。
【００１８】
周波数領域は、この情報を収集するのに最良の領域であるので、高い信号対ノイズ比（ＳＮＲ）で測定でき、正確な結果をもたらす。本発明の特定実施例において、２つの試験機器を設けてもよく、第１試験機器（一般的に、以下、「メイン・ユニット」又は単に「試験機器」と呼ぶ）を被試験リンクの一端に接続し、第２試験機器（一般的に、以下、「遠隔ユニット」と呼ぶ）を被試験リンクの他端に接続する。メイン・ユニット及び遠隔ユニットは、試験に作用するように協働してもよく、また、共にアクティブ試験機器であってもよいし、又はアクティブ試験機器と、より受動的な試験機器とであってもよい。ここで、アクティブ機器（例えば、メイン・ユニット）が試験を制御し、より受動的な機器が測定結果をアクティブ機器に戻す。
【００１９】
一実施例において、ステップ１０２にてメイン・ユニット及び遠隔ユニットが取込んだ周波数領域データは、これらメイン・ユニット及び遠隔ユニットの両方にて、ＮＥＸＴ（near end crosstalk）測定値と同相対差動ＮＥＸＴ（common-to-difference NEXT：ＣＤＮＥＸＴ）測定値を含んでもよい。クロストークの如き歪みは、通信システムにおける一般的な障害である。ＮＥＸＴは、一方の方向に伝送された信号が、反対方向に伝送された信号に入る望ましくない結合である。コネクタが性能に最大の影響を与え、且つ試験を失敗させる原因となるかもしれない領域をＮＥＸＴが表すので、ＮＥＸＴは重要である。しかし、長年にわたる製造の改善によって、ＮＥＸＴの測定単独によってコネクタを検出することが益々困難になった。特に、最近のコネクタは、所定量のクロストーク成分を導入して、目障りなＮＥＸＴをキャンセルする。
【００２０】
本願の発明者は、実験的なコネクタがＣＤＮＥＸＴ測定において独特な性能を示すことを見いだした。したがって、特定実施例において、コネクタ検出目的に、ＣＤＮＥＸＴ測定を用いることができる。図３を参照して、ＣＤＮＥＸＴの概念を後述する。被試験リンクにおけるコネクタ故障の信頼性のある検出方法は、ＮＥＸＴ及びＣＤＮＥＸＴ測定点を必要とする一方、種々の実施例において、故障診断に用いるメイン・ユニット及び／又は遠隔ユニットによって、ステップ１０２にて他の周波数領域データを集めてもよい。
【００２１】
図１に戻る。ステップ１０４にて、メイン・ユニットは、被試験リンク内のコネクタを検出し、その場所を探し、ランク付けしてもよい。これらのサブステップの各々は、図４を参照して、より詳細に後述する。ステップ１０４の最終結果は、リンク内で検出されたコネクタの診断リストを表してもよい。被試験リンク内の検出された故障への夫々の寄与に応じて、このコネクタのリストを蓄積してもよい。ステップ１０６にて、全ての検出した故障を分析して、故障の各々について最もありそうな原因を求めてもよい。一実施例において、分析は、知識ベース・システムに蓄積されてもよい経験知識に基づいてもよい。例えば、技術援助センター（technical assistance center：ＴＡＣ）の調査官は、故障したリンクをデバッグする広範な経験を有していてもよい。ＴＡＣ調査官の経験に基づいた知識を取り込んで、知識ベース・システムにエンコードしてもよい。一実施例において、モデル・ベース推論、規則に基づく推論又は事例に基づく推論の如き既知の推論技術を用いた推論エンジンによって、知識ベース・システムの分析を管理してもよい。推論エンジンは、各故障の最もありそうな原因を究明し、この情報を与えて、（可能ならば）これら故障の場所を探そうとしてもよい。例えば、故障の根本的な原因は、多数のセグメントを有するリンク内の破損したケーブルかもしれない。推論エンジン又は他の適切な知識ベース・システムが、この場合、どのセグメントに問題があるかを究明してもよい。ステップ１０６の最終結果は、故障の最もありそうな原因と、故障の場所とのリストである。
【００２２】
ステップ１０８にて、例えば、メイン・ユニットの図形ユーザ・インタフェースによって、被試験リンクのトポロジーのグラフ表示をユーザに提示してもよい。この図形表示は、ステップ１０２で取込んだ情報に基づく共に、ステップ１０４及び１０６で実行された分析に基づいてもよい。一実施例において、探した種々のイベントまでの試験機器からの距離を表す距離情報と共に、被試験リンクに沿ったコネクタに関連するコネクタ情報及び故障情報を表示してもよい。リンク・トポロジー情報は、ステップ１０６にて生じた故障リストを含んでもよい。
【００２３】
本発明の種々の実施例は、特に、ＲＪ−４５コネクタに適用する。後述する説明は、この形式のコネクタに関係する。しかし、本発明は、この形式のコネクタに限定されるものではなく、他の形式の適切なケーブル・コネクタにまで拡張してもよい。従来のＲＪ−４５コネクタ２００を図２に示す。かかるコネクタ２００は、コンピュータ・ネットワークに共通であり、ケーブル２１０で構成される。このケーブル２１０は、８本のワイヤを含み、プラスチック又は金属ハウジング又はプラスチック・プラグ２１４で終端する。更に特定的には、８本のワイヤ２０１〜２０８が、プラグ２１４の端部に露出したピンにて終端する。ワイヤ２０１〜２０８（及び対応するピン）には、１〜８の番号を振る。プラグ２１４は、対応するレセプタクルに挿入可能であり、コネクタ２００上のピンがレセプタクル内の対応ピンに導電的に接触する。ＲＪ−４５コネクタの全体的な構造及び動作は、技術的に周知である。図２は、以下に第１対と呼ぶ１対のワイヤ２０４、２０５を中央に配置し、第２対２０３、２０６が第１対２０４、２０５にまたがる。この独自の配置により、第１対２０４,２０５及び第２対２０３、２０６は、被試験リンクにおける最悪のクロストーク問題にとって重要な領域である。しかし、ＣＤＮＥＸＴにとって、ＲＪ−４５コネクタ２００の配列の結果は、後述する理由によって、対にわたって異なる性能となる。
【００２４】
図３は、本発明の実施例によるＣＤＮＥＸＴ信号経路を示す図である。本発明の目的のため、ＣＤＮＥＸＴは、１対３０４ａ―ｂ上の同相（common mode：ＣＭ）信号３０２を発生し、同じ端部の異なる対３０８ａ−ｂ上での差動モード（differential mode：ＤＭ）信号３０６を測定するものとする。ＮＥＸＴ及びＣＤＮＥＸＴの間の重要な差を当業者には認識できよう。ＮＥＸＴに対して、対称配置によって、わずか６つの独自な対の組合せがある。例えば、対２０１、２０２−２０３、２０６及び２０３、２０６−２０１、２０２は、ＮＥＸＴ測定に対して均等である。しかし、発生したモード及び受信したモードは同じではないので（前者がＣＭ信号３０２で後者がＤＭ信号３０６）、この仮定はＣＤＮＥＸＴには適用できない。したがって、ＣＤＮＥＸＴにとって、１２個の独自の組合せがある。一般的に、ケーブルに対して、ケーブルの配置は、絶えずケーブルの長さにわたり下に変化させるので、常に最悪の性能を示す特定の１対が存在しない。しかし、これは、ＲＪ−４５に関しては事実でない。
【００２５】
同相入力信号３０２により、対３０４及び３０８の間のクロストークの大部分は、同相信号となる。出力は、差動信号３０６である。これは、出力ワイヤ３０８ａ及び３０８ｂの間で類似ならば、測定したクロストークが小さいことを意味する。反対に、出力ワイヤ３０８ａ及び３０８ｂの間でクロストークが非常に異なれば、測定されたクロストークは大きい。再び、図２を参照する。対２０３、２０６が任意の対のワイヤとの間に最大の距離を有するので、対２０１、２０２−２０３、２０６及び２０７、２０８−２０３、２０６（対称で）は、ＲＪ−４５コネクタ２００において最大量のＣＤＮＥＸＴを必然的に有し、よって、各ワイヤで受信したクロストークにて最大の差を有するということを、上述の観察が意味する。これは、また、２０３、２０６−２０４、２０５は、必然的に最大量のＣＤＮＥＸＴを有し、図２を参照して説明したＮＥＸＴ結果と正反対であるということも意味する。時間領域に関連し、ケーブル自体においてクロストークが設定したいわゆる「ノイズ・フロア」に対するコネクタ関連ピーク値を参照して、ほとんどの場合、ＣＤＮＥＸＴは、ＮＥＸＴよりも良好なＳＮＲを有するということを実証的研究が示している。よって、後述のように、本発明の種々の実施例は、コネクタの検出目的のためにＣＤＮＥＸＴ測定を用いる。
【００２６】
図４は、本発明の実施例により、図１のステップ１０４に対応するコネクタの検出、場所探し及びランク付けの詳細な流れ図である。図４の説明に入る前に、図４の流れ図は、ブロックを結ぶ線で示すように、特定の順序で動作ステップが実行するが、この流れ図に示される種々のステップは、任意の順序、又は副結合にても実行できる点に留意されたい。いくつかの実施例において、以下に説明するステップのいくつかは、単一のステップに組合せてもよいことが明らかであろう。いくつかの実施例において、１つ以上のステップを省略してもよい。いくつかの実施例において、１つ以上の追加のステップを加えてもよい。当業者には明らかなように、本発明の概念は、方法として又はコンピュータ・プログラム製品として実施できる。よって、本発明の概念は、全体としてソフトウェア実施例の形式をとってもよい。さらに、本発明の概念は、そこに具体化されたコンピュータ読み取り可能なプログラム・コードを有する１つ以上のコンピュータ読み取り可能な媒体に具現化されたコンピュータ・プログラム製品の形式をとってもよい。一実施例において、プログラム・コードをケーブル試験機器（例えば、メイン・ユニット）上で完全に実行してもよい。
【００２７】
ステップ４０２にて、周波数領域の形式の周波数領域データＮＥＸＴ及びＣＤＮＥＸＴ測定値を試験機器が得てもよい。このステップは、図１のステップ１０２と少なくとも部分的に重なっており、説明を容易にするために図４に含まれている。一般的に、各周波数の全ての時点にわたる加重和を表すように、周波数領域データに場所探し情報の固有の欠落が存在する。したがって、本発明の種々の実施例は、コネクタを探すために、周波数領域データを時間領域に変換しようとする。周波数領域及び時間領域の間で変化させる従来の方法は、離散的逆フーリエ変換（ＩＤＦＴ）である。典型的には、この変換は、周知の逆高速フーリエ変換（ＩＦＦＴ）である。しかし、銅ケーブルの自然的特性によって、減衰及び分散の形式で周波数領域データ内に歪みが存在するので、周波数領域データのいくつかの部分は、補正されるべきかもしれない。本発明の一実施例において、試験機器は、ステップ４０４と併せて後述する歪み補償方法を用いてもよい。これは、周波数領域測定値を時間領域測定値に有利に変換し、処理において、歪みを補正し、探した情報に対して分析するトレースに導く。従来は、この歪み補償方法を適用して、イベントのリターンロス（ＲＬ）及びＮＥＸＴを計算した。これは、対応するＴＤＲ波形トレース及びＴＤＸ波形トレースを夫々発生する。しかし、本発明の実施例によれば、同じ技術をＣＤＮＥＸＴ測定に適用して、コネクタ検出に用いる同相対逆相クロストーク（common-to-differential crosstalk：ＣＤＸ）波形トレースを発生してもよい。
【００２８】
ステップ４０４にて、試験機器は、取込んだＣＤＮＥＸＴ測定値に基づいて、歪み補償方法を用いてＣＤＸトレースを発生してもよい。この歪み補正方法は、数式モデルを用いて以下に説明する。
【００２９】
一実施例において、試験機器は、振幅が１で、周波数範囲が１ＭＨｚから現在の最大値の１２００ＭＨｚまでの掃引制限アプローチを用いてもよい。これは、本質的には、時間領域におけるインパルスの近似である。すなわち、周波数領域では、関心のある周波数にわたって均一とみなせ、ホワイト・ノイズ（全周波数にわたって均一）を近似する。さらに、次式が周知である。
【００３０】
【数１】
0006738135.tif 000002
0006738135.tif 000003
0006738135.tif 000004
0006738135.tif 000005
0006738135.tif 000006
0006738135.tif 000007
0006738135.tif 000008
0006738135.tif 000009
0006738135.tif 000010
0006738135.tif 000011
【図１】
0006738135.tif 000012
【図２】
0006738135.tif 000013
【図３】
0006738135.tif 000014
【図４】
0006738135.tif 000015
【図５】
0006738135.tif 000016
【図６】
0006738135.tif 000017
【図７】
0006738135.tif 000018
【図８】
0006738135.tif 000019
【図９】
0006738135.tif 000020
【図１０】
0006738135.tif 000021
【図１１】
0006738135.tif 000022
【図１２Ａ】
0006738135.tif 000023
【図１２Ｂ】
0006738135.tif 000024